(57)【特許請求の範囲】
【請求項１】
都市ガスを燃料にしてエンジン１を駆動し、このエンジン１の回転を発電機Ｈに供給し、該発電機Ｈの電力をホテルや公共施設等の電力として使用し、更に、該エンジン１の発生する余熱を利用して、建物内部の暖房を行い、または施設の内部で使用する洗面用や浴槽用の温水も提供するシステムにおいて、該エンジン１の排気消音器Ａから排出される排気を排気管入口３を介して、生ゴミ乾燥処理装置Ｄのドラム２の内部に配置した熱交換器Ｘの部分に供給し、該熱交換器Ｘの熱により生ゴミ投入口２５より投入された生ゴミを加熱し、生ゴミの乾燥と共に、ドラム２内に蒸気を発生し、該熱交換器Ｘの内部を通過した低温の排気は、排気管出口４から大気に開放し、更に、該熱交換器Ｘの上流部より排気の一部を取り出すジェットノズルパイプ２２を設け、該ジェットノズルパイプ２２によりドラム２内に排気を噴射させ、該ドラム２の反対方向に設けた臭気取出管１７より排気を吐出し、脱臭器Ｍに供給し、該脱臭器Ｍの内部で脱臭して脱臭気出口管１６より大気中に吐出すべく構成したことを特徴とするエンジン排熱利用式生ゴミ処理装置。
【請求項２】
請求項１記載のエンジン排熱利用式生ゴミ処理装置において、生ゴミ乾燥処理装置Ｄのドラム２は、排気管入口３と排気管出口４を回転枢支軸として、周囲を回転可能に軸受支持したことを特徴とするエンジン排熱利用式生ゴミ処理装置。
【請求項３】
請求項１記載のエンジン排熱利用式生ゴミ処理装置において、該回転するドラム２の内部に生ゴミ掻上板６を設け、該生ゴミ掻上板６によりドラム２の上部まで生ゴミを掻上げ、掻上げられた生ゴミは重力により、ドラム２内に固定された熱交換器Ｘの外周カバー５に落下し、落下した生ゴミはドラム２と共に回転するスクレーパ７により掻き落とされることを特徴とするエンジン排熱利用式生ゴミ処理装置。
【発明の詳細な説明】
【０００１】
【発明の属する技術分野】
本発明は、生ゴミをドラム内に投入して乾燥処理する生ゴミ処理装置において、該生ゴミ乾燥の熱源をエンジンの排気熱により供給するものである。
【０００２】
【従来の技術】
従来から、生ゴミ処理装置に関する技術は公知とされているのである。
例えば、実用新案登録番号第２５１６６８９号や、特開昭５９−１０３２５号公報や、特開昭５８−２１０２８９号公報や、特開昭４８−８１２２１号公報や、実公平２−２５５１９号公報や、特開昭５６−３８５１８号公報や、特開昭５３−４７３６８号公報や、特開昭５３−２９２７２号公報や、実開昭６１−４０９０１号公報に記載の技術の如くである。
【０００３】
しかし、現在市販されている生ゴミ乾燥処理装置は、ボイラー又は電熱等を熱源として生ゴミを乾燥処理させる方式であり、ボイラーの設置場所が必要であったり、ボイラーのメンテナンスに費用が掛かったり、ボイラーの運転の為の騒音が大きく問題となっていたのである。
【０００４】
【本発明が解決しようとする課題】
本発明は、上記の従来技術の不具合を解消せんとするものであり、エンジンの排熱を生ゴミ乾燥の為の熱源として使用することにより、省エネルギーを図り、従来のようにボイラーを配置する据え付け面積を不要とし、ボイラーを運転する為の騒音を低減せんとするものである。
【０００５】
【課題を解決するための手段】
本発明が解決しようとする課題は以上の如くであり、次に該課題を解決するための手段を説明する。
【０００６】
請求項１においては、都市ガスを燃料にしてエンジン１を駆動し、このエンジン１の回転を発電機Ｈに供給し、該発電機Ｈの電力をホテルや公共施設等の電力として使用し、更に、該エンジン１の発生する余熱を利用して、建物内部の暖房を行い、または施設の内部で使用する洗面用や浴槽用の温水も提供するシステムにおいて、該エンジン１の排気消音器Ａから排出される排気を排気管入口３を介して、生ゴミ乾燥処理装置Ｄのドラム２の内部に配置した熱交換器Ｘの部分に供給し、該熱交換器Ｘの熱により生ゴミ投入口２５より投入された生ゴミを加熱し、生ゴミの乾燥と共に、ドラム２内に蒸気を発生し、該熱交換器Ｘの内部を通過した低温の排気は、排気管出口４から大気に開放し、更に、該熱交換器Ｘの上流部より排気の一部を取り出すジェットノズルパイプ２２を設け、該ジェットノズルパイプ２２によりドラム２内に排気を噴射させ、該ドラム２の反対方向に設けた臭気取出管１７より排気を吐出し、脱臭器Ｍに供給し、該脱臭器Ｍの内部で脱臭して脱臭気出口管１６より大気中に吐出すべく構成したものである。
【０００７】
請求項２においては、請求項１記載のエンジン排熱利用式生ゴミ処理装置において、生ゴミ乾燥処理装置Ｄのドラム２は、排気管入口３と排気管出口４を回転枢支軸として、周囲を回転可能に軸受支持したものである。
【０００８】
請求項３においては、請求項１記載のエンジン排熱利用式生ゴミ処理装置において、該回転するドラム２の内部に生ゴミ掻上板６を設け、該生ゴミ掻上板６によりドラム２の上部まで生ゴミを掻上げ、掻上げられた生ゴミは重力により、ドラム２内に固定された熱交換器Ｘの外周カバー５に落下し、落下した生ゴミはドラム２と共に回転するスクレーパ７により掻き落とされるものである。
【０００９】
【発明の実施の形態】
次に本発明の実施の形態を説明する。
図１は本発明のエンジン排熱利用式生ゴミ処理装置の全体側面図、図２は同じく本発明のエンジン排熱利用式生ゴミ処理装置の全体正面図、図３は本発明のドラム２と熱交換器Ｘの部分の側面拡大断面図、図４は同じくドラム２と熱交換器Ｘの部分の拡大正面断面図である。
【００１０】
図１と図２において、本発明のエンジン排熱利用式生ゴミ処理装置の全体的な構成を説明する。
本発明のエンジン排熱利用式生ゴミ処理装置は、ホテルや公共施設等のように不特定多数の人々が集まる施設等において配置されている、コージェネガスエンジンシステム等に付設して、エンジン排熱利用式生ゴミ処理装置が配置されているのである。該コージェネガスエンジンシステムは、都市ガスを燃料にしてエンジン１を駆動し、このエンジン１の回転を発電機Ｈに供給し、該発電機Ｈにより発生する電力を、ホテルや公共施設等の電力として使用し、更に、該エンジン１の発生する余熱を利用して、建物内部の暖房を行ったり、または施設の内部で使用する洗面用や浴槽用の温水も提供するシステムである。
【００１１】
このように、多方面にエンジン１が発生する回転力や熱を使用して、省エネルギーを図るコージェネガスエンジンシステムにおいて、更にエンジン１の排熱を、該施設において発生する生ゴミの乾燥処理の為に使用せんとするものである。  図１においては、エンジン１の右側に発電機Ｈが配置されており、該エンジン１のクランク軸等の出力軸により発電機Ｈを駆動して、発電を行っている。該発電機Ｈによる電力により冷暖房を行うことができ、暖房の際には、エンジン１の排気熱や冷却水の余熱等も使用するのである。
【００１２】
本発明においては、該エンジン１の排気消音器Ａから排出される排気を、排気管１９と１８から、そのまま、生ゴミ乾燥処理装置Ｄの熱交換器Ｘの部分に排気管入口３より供給し、該ドラム２と熱交換器Ｘの内部を通過した低温の排気は、排気管出口４から大気中に放出される。
【００１３】
大部分の排気は、生ゴミ乾燥処理装置Ｄを構成するドラム２の内部の熱交換器Ｘの部分を通過するのであるが、この熱交換器Ｘの内部で詰まり等が発生して、排気が熱交換器Ｘの内部を通過出来ずに、排気圧が高くなった場合には、エンジン１の回転に悪影響を与え、エンジン排熱利用式生ゴミ処理装置とコージェネガスエンジンシステムの両方が破損する可能性があるので、この不具合を解消擦るために、熱交換器Ｘを通過する排気回路とは他に、ドラム２の外部に、排気バイパス回路Ｂを構成して、排気の詰まりが発生しないように構成している。
【００１４】
図２において図示する如く、該排気管出口４において、排気バイパス回路Ｂと合流した排気は、大気中に開放されるよう構成している。
また、図２において図示する如く、ドラム２と併置して脱臭器Ｍを配置しており、該排気管出口４の下方から臭気取出管１７を介して、脱臭器Ｍに臭気を供給し、該脱臭器Ｍの内部で臭気を活性炭等で脱臭して、脱臭気出口管１６より、単独で大気中に吐出させている。
【００１５】
次に、図３と図４において、生ゴミ乾燥処理装置Ｄと熱交換器Ｘについて説明する。
図３において図示する如く、ドラム２には上方に生ゴミ投入口２５が設けられており、下部に生ゴミ排出口１２が設けられている。該ドラム２は、軸受アウター１４・２９を左右に突出しており、該軸受アウター１４・２９の内部に軸受２６・３０を介入し、排気管出口４と排気管入口３の外周に設けた軸受インナー２４・３１により、ドラム２の回転軸受部を構成している。即ち、ドラム２は排気管入口３と排気管出口４を回転枢支軸として、軸受インナー２４・３１の周囲を回転可能に軸受支持しているのである。
【００１６】
排気管出口４と排気管入口３の外周にそのまま、軸受２６・３０を嵌装するのではなくて、軸受インナー２４・３１を排気管出口４と排気管入口３の外周に固定して、その外側に軸受２６・３０を遊嵌支持している。
また、排気管出口４は、支持脚３３により、排気管入口３は支持脚３２により支持土台の上に支持すべく構成している。該支持脚３３の部分に減速モータ３８が支持されており、該減速モータ３８の駆動スプロケット２８に駆動チェーンを掛けて、軸受アウター１４の上の被駆動スプロケット２７を駆動している。
この構成により、減速モータ３８を駆動すると、ドラム２が回転するのである。
【００１７】
該ドラム２の内部には、スクレーパ７と生ゴミ掻上板６が固定されており、このスクレーパ７と生ゴミ掻上板６は、ドラム２の回転に連れて回転するが、その内側に熱交換器Ｘの部分は、排気管入口３と排気管出口４に連結されているので回転は出来ないのである。排気管入口３と排気管出口４がドラム２の内部に突出した部分が、筒状に構成された熱交換器Ｘの前後に固定されている。該熱交換器Ｘの筒の部分は、内側半円筒８と外側半円筒５は、それぞれ直径の相違する１８０度以上の円弧に構成されており、両者の重複部分を開口部として、この開口部分から排気の熱風がドラム２の内部に吐出すべく構成している。該内側半円筒８の内部には排気ガイド板１５が上下から交互に突出しており、該排気管入口３からの排気が抵抗なく排気管出口４に流れ出ることなく、ドラム２の内部に方向を変えて流入すべく案内している。
【００１８】
また、該排気管入口３から熱交換器Ｘの内部に排熱が出る部分の初めの位置に、ジェットノズルパイプ２２が設けられている。該ジェットノズルパイプ２２から、ドラム２の外周部分のスクレーパ７や生ゴミ掻上板６に近い外側円周の部分にドラム２の吐出口を構成している。該ジェットノズルパイプ２２により、積極的にドラム２の外周部分に排気を吐出させている。即ち、熱交換器Ｘの上流部より排気の一部を取り出すジェットノズルパイプ２２を設け、該ジェットノズルパイプ２２により、ドラム２内に勢いよく排気を噴射させ、該ドラム２の反対方向に設けた臭気取出管１７より、排気を脱臭器Ｍに供給し、該脱臭器Ｍの脱臭気出口管１６より外気へ吐出すべく構成している。
【００１９】
また、ドラム２の内周には生ゴミ掻上板６が突設されており、生ゴミ掻上板６は短い板であるが、別にスクレーパ７は長い板として構成されている。このように、ドラム２の回転に伴って生ゴミ掻上板６が回転すると、ドラム２の下部の生ゴミを上方へ徐々に掻き上げる。該掻上げられた生ゴミは、ドラム２の上方の位置から落下して、熱交換器Ｘを構成する外側半円筒５の上に落下する、該外側半円筒５にはスクレーパ７が近くまで突出された状態で回転しているので、該スクレーパ７により、外側半円筒５の周囲の生ゴミを掻き落とすのである。
【００２０】
エンジン１から排出された排気は、排気管入口３よりドラム２内に設けられた熱交換器Ｘに入り、生ゴミ投入口２５より投入された生ゴミを加熱し、生ゴミの乾燥と共に、ドラム２に蒸気を発生し、ドラム２空間内は過飽和状態の空気としているのである。
【００２１】
【発明の効果】
本発明は以上の如く構成したので、次のような効果を奏するのである。
請求項１の如く、都市ガスを燃料にしてエンジン１を駆動し、このエンジン１の回転を発電機Ｈに供給し、該発電機Ｈの電力をホテルや公共施設等の電力として使用し、更に、該エンジン１の発生する余熱を利用して、建物内部の暖房を行い、または施設の内部で使用する洗面用や浴槽用の温水も提供するシステムにおいて、該エンジン１の排気消音器Ａから排出される排気を排気管入口３を介して、生ゴミ乾燥処理装置Ｄのドラム２の内部に配置した熱交換器Ｘの部分に供給し、該熱交換器Ｘの熱により生ゴミ投入口２５より投入された生ゴミを加熱し、生ゴミの乾燥と共に、ドラム２内に蒸気を発生し、該熱交換器Ｘの内部を通過した低温の排気は、排気管出口４から大気に開放し、更に、該熱交換器Ｘの上流部より排気の一部を取り出すジェットノズルパイプ２２を設け、該ジェットノズルパイプ２２によりドラム２内に排気を噴射させ、該ドラム２の反対方向に設けた臭気取出管１７より排気を吐出し、脱臭器Ｍに供給し、該脱臭器Ｍの内部で脱臭して脱臭気出口管１６より大気中に吐出すべく構成したので、次のような効果を奏するものである。
エンジン１から排出された排気は、排気管入口３よりドラム２内に設けられた熱交換器Ｘに入り、生ゴミ投入口２５より投入された生ゴミを加熱し、生ゴミの乾燥と共に、ドラム２に蒸気を発生し、ドラム２空間内は過飽和状態の空気としたので、ドラム２の内部の温度を上げずに、生ゴミの乾燥を効率的に行うことが出来るようになったのである。
【００２２】
また、熱交換器Ｘの上流部より排気の一部を取り出すジェットノズルパイプ２２を設け、該ジェットノズルパイプ２２により、ドラム２内に勢いよく排気を噴射させ、該ドラム２の反対方向に設けた排気管出口４より、排気を脱臭器Ｍに供給し、該脱臭器Ｍより外気の吐出すべく構成したので、ドラム２の内部で発生する臭気を、ジェットノズルパイプ２２からの高速噴流により移動させて、ドラム２の終端部分において臭気取出管１７の中に臭気を送り込み、該臭気取出管１７から脱臭器Ｍにより脱臭することができて、脱臭器Ｍの脱臭気出口管１６から臭気が出ることがなく、周囲の環境を破壊することが無くなったのである。
【００２３】
請求項２の如く、生ゴミ乾燥処理装置Ｄのドラム２は、排気管入口３と排気管出口４を回転枢支軸として、周囲を回転可能に軸受支持したので、該ドラム２の内部に軸受として、排気管入口３や排気管出口４を配置することが可能となり、またドラム２の軸受機構を兼用することができるので、エンジン排熱利用システムの排気熱源を利用する生ゴミ処理装置が簡単に構成できるものである。
【００２４】
請求項３の如く、回転するドラム２の内部に生ゴミ掻上板６を設け、該生ゴミ掻上板６によりドラム２の上部まで生ゴミを掻上げ、掻上げられた生ゴミは重力により、ドラム２内に固定された熱交換器外周カバー５に落下し、落下した生ゴミはドラム２と共に回転するスクレーパ７により掻き落とされるので、熱交換器Ｘが回転しなくても、熱交換器Ｘの上面に配置された外側半円筒５の上に落下した生ゴミはスクレーパ７により、掻き落とすことが出来るので、生ゴミの攪拌能力を向上することが出来たのである。
【図面の簡単な説明】
【図１】  本発明のエンジン排熱利用式生ゴミ処理装置の全体側面図。
【図２】  同じく本発明のエンジン排熱利用式生ゴミ処理装置の全体正面図。
【図３】  本発明のドラム２と熱交換器Ｘの部分の側面拡大断面図。
【図４】  同じくドラム２と熱交換器Ｘの部分の拡大正面断面図。
【符号の説明】
Ｂ  排気バイパス回路
Ｄ  生ゴミ乾燥処理装置
Ｍ  脱臭器
Ｘ  熱交換器
１  エンジン
２  ドラム
３  排気管入口
４  排気管出口
５  外側半円筒
６  生ゴミ掻上板
７  スクレーパ
８  内側半円筒
３８  減速モータ
【図１】
0003781513.tif 000002
【図２】
0003781513.tif 000003
【図３】
0003781513.tif 000004
【図４】
0003781513.tif 000005